(57)【要約】【課題】取手の伸張位置及び縮小位置でのみ電動送風機を作動可能にした縦型の掃除機本体を提供すること。【解決手段】電気掃除機は、下面に吸込開口が設けられた吸込口体６と、上下に向けられていると共に集塵室５及び該集塵室５に負圧を作用させる電動送風機３が内蔵され且つ下端部が吸込口体６に回動可能に取り付けられた掃除機本体２と、上下に向けて掃除機本体２の背面に着脱可能に取り付けられ且つ下端部が吸込口体６に着脱可能に接続された延長管１３と、延長管１３の上端部と集塵室５を接続している集塵ホース１０と、掃除機本体２の上端部に上下に伸縮可能に取り付けられた持ち運び用の取手１９を備えている。しかも、取手１９の伸張位置及び縮小位置で電動送風機３がＯＮ・ＯＦＦ操作可能に設けられている。【選択図】  図４
2006034706.tif 000002
【特許請求の範囲】
【請求項１】
下面に吸込開口が設けられた吸込口体と、上下に向けられていると共に集塵室及び該集塵室に負圧を作用させる電動送風機が内蔵され且つ下端部が前記吸込口体に回動可能に取り付けられた掃除機本体と、上下に向けて前記掃除機本体の背面に着脱可能に取り付けられ且つ下端部が前記吸込口体に着脱可能に接続された吸込パイプと、前記吸込パイプの上端部と前記集塵室を接続している集塵ホースと、前記掃除機本体の上端部に上下に伸縮可能に取り付けられた持ち運び用の取手を備える電気掃除機であって、
前記取手の伸張位置及び縮小位置で前記電動送風機がＯＮ・ＯＦＦ操作可能に設けられていることを特徴とする電気掃除機。
【請求項２】
前記取手の伸張位置及び縮小位置で前記電動送風機をＯＮ・ＯＦＦ操作可能にするスイッチが前記取手に設けられていることを特徴とする請求項１に記載の電気掃除機。
【発明の詳細な説明】
【技術分野】
【０００１】
この発明は、掃除機本体の上端部に持ち運び用の取手が設けられた縦型（アップライト式）の電気掃除機に関するものである。
【背景技術】
【０００２】
従来、アップライト式の電気掃除機（縦形電気掃除機）には、下面に吸込開口が設けられた吸込口体と、この吸込口体に連通する集塵室及びこの集塵室に吸込負圧を作用させる電動送風機が内蔵され且つ下端部が吸込口体に取り付けられた縦長の掃除機本体と、掃除機本体の上端部に伸縮可能に取り付けられた持ち運び用の取手を備えるものが知られている（例えば、特許文献１参照）。
【特許文献１】特開平３−２２２９２５号公報。
【発明の開示】
【発明が解決しようとする課題】
【０００３】
このような電気掃除機では、取手の伸縮途中の位置で電動送風機の電源が入ってしまうことがあり、使用する上では好ましくない。
【０００４】
そこで、この発明は、取手の伸張位置及び縮小位置でのみ電動送風機を作動可能にした縦型の掃除機本体を提供することを目的とするものである。
【課題を解決するための手段】
【０００５】
この目的を達成するため、請求項１の発明は、下面に吸込開口が設けられた吸込口体と、上下に向けられていると共に集塵室及び該集塵室に負圧を作用させる電動送風機が内蔵され且つ下端部が前記吸込口体に回動可能に取り付けられた掃除機本体と、上下に向けて前記掃除機本体の背面に着脱可能に取り付けられ且つ下端部が前記吸込口体に着脱可能に接続された吸込パイプと、前記吸込パイプの上端部と前記集塵室を接続している集塵ホースと、前記掃除機本体の上端部に上下に伸縮可能に取り付けられた持ち運び用の取手を備える電気掃除機であって、
前記取手の伸張位置及び縮小位置で前記電動送風機がＯＮ・ＯＦＦ操作可能に設けられていることを特徴とする電気掃除機。
【発明の効果】
【０００６】
この構成によれば、取手の伸張位置及び縮小位置で前記電動送風機がＯＮ・ＯＦＦ操作可能に設けられているので、取手の伸張位置及び縮小位置でのみ電動送風機を作動させることができる。即ち、取手の伸縮途中の位置で電動送風機の電源が入ってしまうことがないので、使用する上で好ましい。
【発明を実施するための最良の形態】
【０００７】
以下、この発明の実施の形態を図面に基づいて説明する。
【実施例】
【０００８】
[構成]
図１は、縦形の電気掃除機（アップライト式の電気掃除機）１の斜視図を示している。この電気掃除機１は、掃除機本体２内に電動送風機３が内蔵されており、この電動送風機３の連通風路上流側には前記電動送風機３により吸引された外気から塵埃を捕集する集塵カップ４が着脱自在に内装されている。５は集塵カップ４内に形成された集塵室である。
【０００９】
掃除機本体２の下端には、下面に図示しない吸込開口を設けた吸込口体６が取り付けられている。この吸込口体６の後部両側には、床面Ｆ上を転動可能な１対のローラ（他方は図示せず）８がそれぞれ設けられている。
【００１０】
前記集塵カップ４の集塵室５に連通する連通風路９には集塵ホース１０の基端部１０ａが接続されており、この集塵ホース１０の自由端１０ｂ側には清掃操作用のハンドル（握り部）１１を一体的に有する操作管１２が設けられている。
【００１１】
前記操作管１２には、延長管１３の基端１３ａが着脱自在に装着されており、この延長管１３は伸縮自在の２本のパイプからなっている。延長管１３の先端１３ｂ（図１においては下端）は、掃除機本体２の背面下部に一体的に配設された延長管接続部１４内に装着されている。
【００１２】
延長管接続部１４の内部には、前記延長管１３の先端１３ｂが外嵌される接続管１５を有しており、この接続管１５の風路は前述した吸込口体６に連通している。
【００１３】
また、延長管１３の中間部にはフック１６ａが設けられている。このフック１６ａは掃除機本体２の後部側に設けられた係止部１６ｂに係脱可能に係止されている。上記フック１６ａ及び係止部１６ｂにより、延長管１３を掃除機本体２に係止するための係止手段１６が構成されている。
【００１４】
掃除機本体２の左右の部分には、図２に示したように掃除機本体２の上端に開口する取手取付穴１７，１８が形成されている。この取手取付穴１７の下端部近傍及び上端部近傍には環状の環状凹部１７ａ，１７ｂが形成され、取手取付穴１８の下端部近傍及び上端部近傍には環状凹部１８ａ，１８ｂが形成されている。
【００１５】
そして、環状凹部１７ａ，１７ｂには環状で断面がコ字状の固定接点部材１７ａ１，１７ｂ１がそれぞれ嵌合固定され、環状凹部１８ａ，１８ｂには環状で断面がコ字状の固定接点部材１８ａ１，１８ｂ１がそれぞれ嵌合固定されている。この固定接点部材１７ａ１，１７ｂ１，１８ａ１，１８ｂ１には環状係止凹部１７ａ２，１７ｂ２，１８ａ２，１８ｂ２がそれぞれ形成されている。
【００１６】
また、掃除機本体２の上部には、持ち運び用のパイプ製の取手１９が取り付けられている。この取手１９は、図１，図４，図６，図７に示したように、上下に延び且つ取手取付穴１７，１８に上下動可能に嵌合された支持パイプ部（支柱部）１９ａ，１９ｂと、支持パイプ部１９ａ，１９ｂの上端部を連設している取手パイプ部（取手部）１９ｃから逆Ｕ字状に形成されている。尚、取手１９は、絶縁部材、例えば絶縁性のある樹脂又はグラスファイバー繊維強化プラスチック等から形成される。
【００１７】
この支持パイプ部１９ａの下端部にはバネ受け筒１９ａ１を介してパイプ１９ａ２が螺着され、支持パイプ部１９ｂの下端部にはバネ受け筒１９ｂ１を介してパイプ１９ｂ２が螺着されている。
【００１８】
更に、パイプ１９ａ１の下端部内には導電性の板バネ２０，２０の上端部が取り付けられ、パイプ１９ｂ１の下端部には導電性の板バネ２１，２１の上端部が取り付けられている。この板バネ２０は、下端部に外方に突出する係止爪（可動接点）２０ａ，２０ａと、内方に突出する突部２０ｂ，２０ｂを有する。また、板バネ２１は、下端部に外方に突出する係止爪（可動接点）２１ａ，２１ａと、内方に突出する突部２１ｂ，２１ｂを有する。
【００１９】
また、支持パイプ部１９ａ，１９ｂの下端部内には、下端に向かうに従って先細りテーパ形状に形成されたバネ板拡開部材２２，２３が上下動可能にそれぞれ嵌合されている。このバネ板拡開部材２２とバネ受け筒１９ａ１との間にはスプリング２４が介装され、又、バネ板拡開部材２３とバネ受け筒１９ｂ１との間にはスプリング２５が介装されている。
【００２０】
このスプリング２４は、バネ板拡開部材２２を下方に付勢して、このバネ板拡開部材２２のテーパ部により突部２０ｂを図２中半径方向に押圧し、係止爪２０ａを環状係止凹部１７ａ２に係合させている。同様にスプリング２５は、バネ板拡開部材２３を下方に付勢して、このバネ板拡開部材２３のテーパ部により突部２１ｂを図２中半径方向に押圧し、係止爪２１ａを環状係止凹部１８ａ２に係合させている。
【００２１】
尚、バネ板拡開部材２２，２３が突部２０ｂ，２１ｂから上方に離反させられた状態では、板バネ２０，２１が自己のバネ力により直線状に復帰させられ、係止爪２０ａが環状係止凹部１７ａ２から抜き取られ、係止爪２１ａが環状係止凹部１８ａ２から抜き取られるようになっている。
【００２２】
この各バネ板拡開部材２２，２３にはワイヤ２６，２７の下端部が固定されている。しかも、このワイヤ２６，２７は支持パイプ部１９ａ，１９ｂ内に沿って上端まで配設されていると共に、取手パイプ部１９ｃ内まで延設されている。
【００２３】
また、取手パイプ部１９ｃには、下方に突出するワイヤ操作ボタン２８が上方に押圧変位可能に取り付けられていると共に、ワイヤ操作ボタン２８を下方に突出する方向にバネ付勢しているスプリング２９が装着されている。このワイヤ操作ボタン２８にはワイヤ２６，２７の上端部が固定されている。
【００２４】
更に、取手パイプ部１９ｃには電動送風機３をＯＮ・ＯＦＦ操作するためのスイッチ３０が取り付けられている。このスイッチ３０は、図４に示したように固定接点３０ａ，３０ｂと、可動接点３０ｃを有する。そして、固定接点３０ａはリード線３１を介して固定接点部材１７ａ１，１７ｂ１に接続され、固定接点３０ｂはリード線３２を介して固定接点部材１８ａ１，１８ｂ１に接続されている。
【００２５】
この固定接点部材１７ａ１，１７ｂ１及び固定接点部材１８ａ１，１８ｂ１は図４に示したように制御回路３３に接続され、制御回路３３はスイッチ３０のＯＮ・ＯＦＦ操作により電動送風機３を作動制御するようになっている。
【００２６】
上記のように延長管１３が掃除機本体２に係止されている状態では、吸込口体６は延長管接続部１４の接続管１５、延長管１３、操作管１２及び集塵ホース１０等を介して、掃除機本体２内の集塵室５に連通している。 すなわち、電気掃除機１を床面Ｆ上で前後方向に移動させながら吸込口体６により床面Ｆを清掃することができる。
【００２７】
［作用］
上述のように構成された電気掃除機の作用について説明する。
【００２８】
このような構成において、図２の如く係止爪２０ａを環状係止凹部１７ａ２に係合させ、係止爪２１ａを環状係止凹部１８ａ２に係合させた状態では、取手１９が図１及び図５の縮小位置にある。
【００２９】
この位置では、板バネ２０，２１の係止爪２０ａ，２１ａが固定接点部材１７ａ１，１８ａ１に接触しているので、スイッチ３０の固定接点３０ａがリード線３１，板バネ２０及び固定接点部材１７ａ１を介して演算制御回路３３に接続されると共に、スイッチ３０の固定接点３０ｂがリード線３２、板バネ２１及び固定接点部材１８ａ１を介して演算制御回路３３に接続される。従って、この縮小位置でスイッチ３０をＯＮさせると、演算制御回路３３により電動送風機が駆動させられる。
【００３０】
通常、清掃面を吸込口体６で清掃する場合には、取手１９は図１，図５の如く縮小された位置で使用する。また、この場合には、延長管１３の先端１３ｂを延長管接続部１４内に挿入して、延長管１３の先端１３ｂを吸込口体６に連通する接続管１５に接続すると共に、延長管１３のフック１６ａを掃除機本体２の後部側に設けられた係止部１６ｂに係止させた状態としておく。
【００３１】
この状態で、スイッチ３０をＯＮさせて電動送風機を駆動させると、電動送風機３の吸込負圧が集塵室５，集塵ホース１０，操作管１２，延長管１３を介して吸込口体６に作用する。
【００３２】
これにより、清掃面の塵埃が空気と共に吸込口体６内に吸い込まれる。この吸い込まれた塵埃を含む空気は、掃除機本体２内の電動送風機３による吸込負圧により延長管１３、操作管１２、集塵ホース１０等を介して集塵室５（図１参照）に導かれる。そして、空気に含まれる塵埃が集塵室５内に捕集されることになる。
【００３３】
従って、電動送風機３を駆動させた状態で、延長管１３及び掃除機本体２を後方側に少し倒して清掃面Ｆ上を矢印方向へ移動（又は前後動）させることにより、清掃面の塵埃を集塵室５に捕集して、清掃面を清掃できる。
【００３４】
また、床面Ｆ以外の狭い場所や高所等を清掃する場合には、図５に示すように延長管１３を掃除機本体２の背面から取り外し、延長管１３の先端１３ｂにコーナやブラシ等のアタッチメント（図示せず）を装着した状態で行われる。
【００３５】
この場合、掃除機本体２の持ち運び用の取手１９の取手パイプ部１９ｃを持って電気掃除機１を所要の場所に持ち運びできると共に、取手１９の取手パイプ部１９ｃをユーザの手で持ちながらスイッチ３０を容易に操作できて、掃除をし易くすることができる。
【００３６】
ところで、床面Ｆ以外の狭い場所や高所等を清掃する場合、使用者は取手１９が図１，図５の如く縮小位置にあると、取手１９の取手パイプ部１９ｃの位置が低すぎて、取手１９の取手パイプ部１９ｃを掴むのに屈む必要が生じ、取手１９の取手パイプ部１９ｃを掴みにくい。このような場合には、取手１９を図６に示したように予め伸ばしておくと良い。こうすれば、取手１９を掴んでハンドル１１を持ちながら掃除を行うことができる。
【００３７】
この場合には、先ず取手１９の縮小位置から図２の取手パイプ部１９ｃのワイヤ操作ボタン２８をスプリング２９のバネ力に抗して上方に押圧変位させる。これに伴い、ワイヤ２６，２７がスプリング２４，２５のバネ力に抗して引っ張られて、ワイヤ２６，２７と一体のバネ板拡開部材２２，２３が上方に変位させられる。
【００３８】
これにより、図３の如く、バネ板拡開部材２２，２３が突部２０ｂ，２１ｂから上方に離反させられて、板バネ２０，２１が自己のバネ力により直線状に復帰させられ、係止爪２０ａが環状係止凹部１７ｂ２から抜き取られると共に、係止爪２１ａが環状係止凹部１８ｂ２から抜き取られる。
【００３９】
この状態では、取手パイプ部（取手部）１９ｃを上方に引くことで、取手パイプ部１９ｃと一体の支持パイプ部１９ａ，１９ｂが取手取付穴１７，１８内を上方にスライドして、支持パイプ部１９ａ，１９ｂが取手取付穴１７，１８から上方に引き出される。
【００４０】
そして、取手パイプ部１９ｃの引き上げを開始してワイヤ操作ボタン２８から手を離すと、バネ板拡開部材２２，２３がスプリング２４，２５により下方に移動させられて、バネ板拡開部材２２，２３のテーパ部が突部２０ｂ，２１ｂを半径方向に押圧するが、更に取手パイプ部１９ｃの引き上げ操作をしても、支持パイプ部１９ａ，１９ｂは取手取付穴１７，１８内を上方に移動可能となっている。
【００４１】
この状態で、更に取手パイプ部１９ｃの引き上げ操作をする。これに伴い、係止爪２０ａが環状係止凹部１７ａ２に臨むと共に、係止爪２１ａが環状係止凹部１８ａ２が臨んだときに、バネ板拡開部材２２，２３がスプリング２４，２５により更に下方に移動させられる。これにより、このバネ板拡開部材２２，２３のテーパ部は、スプリング２４，２５のバネ力により突部２０ｂ，２１ｂを半径方向に押圧して、板バネ２０，２１を半径方向に撓ませ、係止爪２０ａを環状係止凹部１７ｂ２に係合させると共に、係止爪２１ａを環状係止凹部１８ｂ２に係合させる。この位置が図６の如く取手１９を伸張させたときの伸張位置となる。
【００４２】
この取手１９の伸張位置では、板バネ２０，２１の係止爪２０ａ，２１ａが固定接点部材１７ｂ１，１８ｂ１に接触しているので、スイッチ３０の固定接点３０ａがリード線３１，板バネ２０及び固定接点部材１７ｂ１を介して演算制御回路３３に接続されると共に、スイッチ３０の固定接点３０ｂがリード線３２、板バネ２１及び固定接点部材１８ｂ１を介して演算制御回路３３に接続される。従って、この伸張位置でスイッチ３０をＯＮさせると、演算制御回路３３により電動送風機が駆動させられる。
【００４３】
尚、取手１９を縮小させるときは、図２のワイヤ操作ボタン２８をスプリング２９のバネ力に抗して上方に押圧変位させて、ワイヤ２６，２７をスプリング２４，２５のバネ力に抗して引っ張り、ワイヤ２６，２７と一体のバネ板拡開部材２２，２３を上方に変位させることで、係止爪２０ａを環状係止凹部１７ｂ２から抜き取ると共に、係止爪２１ａを環状係止凹部１８ｂ２から抜き取る。この状態で、取手１９を下方に押圧することで、取手１９を図１，図５の縮小位置まで移動させることができる。
【００４４】
以上説明したように、この発明の実施の形態の電気掃除機は、下面に吸込開口が設けられた吸込口体６と、上下に向けられていると共に集塵室５及び該集塵室５に負圧を作用させる電動送風機３が内蔵され且つ下端部が前記吸込口体６に回動可能に取り付けられた掃除機本体２と、上下に向けて前記掃除機本体２の背面に着脱可能に取り付けられ且つ下端部が前記吸込口体６に着脱可能に接続された吸込パイプ（延長管１３）と、前記吸込パイプ（延長管１３）の上端部と前記集塵室５を接続している集塵ホース１０と、前記掃除機本体２の上端部に上下に伸縮可能に取り付けられた持ち運び用の取手１９を備えている。しかも、前記取手１９の伸張位置及び縮小位置で前記電動送風機３がＯＮ・ＯＦＦ操作可能に設けられている。
【００４５】
この構成によれば、取手１９の伸張位置及び縮小位置で前記電動送風機３がＯＮ・ＯＦＦ操作可能に設けられているので、取手１９の伸張位置及び縮小位置でのみ電動送風機３を作動させることができる。即ち、取手１９の伸縮途中の位置で電動送風機３の電源が入ってしまうことがないので、使用する上で好ましい。
【図面の簡単な説明】
【００４６】
【図１】この発明に係る電気掃除機の斜視図である。
【図２】図１の電気掃除機の取手の取り付け状態を示す概略断面説明図である。
【図３】図２の部分作用説明図である。
【図４】図２のスイッチの接続状態を示す概略配線図である。
【図５】図１の電気掃除機の作用を説明するための斜視図である。
【図６】図１の電気掃除機の作用を説明するための斜視図である。
【符号の説明】
【００４７】
１…電気掃除機
２…掃除機本体
３…電動送風機
５…集塵室
６…吸込口体
１０…集塵ホース
１３…延長管（吸込パイプ）
１９…取手
【図１】
2006034706.tif 000003
【図２】
2006034706.tif 000004
【図３】
2006034706.tif 000005
【図４】
2006034706.tif 000006
【図５】
2006034706.tif 000007
【図６】
2006034706.tif 000008